(57)【要約】  検査プラットフォーム、プラント及び装置、プレファブ建築、並びに、構造物のために使用されうるフレーム支持体である。設置は三つの主な段階で実施され、軽量なねじ切りされたベースを、予め準備された穴の内部に固定することから始まり、次いで、耐荷重部材がベースに取付けられて、ねじ山及びねじ切りされたカラーにより調整される。そして、ねじ切りされたベースとねじ切りされたカラーと耐荷重部材の突出部とがコンクリート又は化学化合物に実質的に包まれて設置が完了する。【選択図】図１
2014517170.tif 000002
【特許請求の範囲】
【請求項１】
フレーム支持体であって、
（ｉ）ねじ切りされた外面を有する細長部材を備えるベースと、
（ｉｉ）前記細長部材のねじ切りされた外面に係合するよう寸法決めされているねじ切りされたカラーと、
（ｉｉｉ）前記ねじ切りされたカラーに取付け可能な耐荷重部材であって、前記耐荷重部材は突出部を備える、耐荷重部材と、を備え、
前記耐荷重部材が前記ねじ切りされたカラーに係合し、それにより、前記耐荷重部材の回転が、前記耐荷重部材の高さを調整する手段を提供する、前記ベースの細長部材回りの前記ねじ切りされたカラーの回転をもたらし、
使用中、前記ベースと前記ねじ切りされたカラーと前記耐荷重部材の前記突出部とが実質的に包まれている、フレーム支持体。
【請求項２】
前記突出部は前記ねじ切りされたカラーに取付け可能である、請求項１に記載のフレーム支持体。
【請求項３】
前記突出部は、ワッシャ、スペーサ又は同種のものにより、前記ねじ切りされたカラーとは分離している、請求項１又は２に記載のフレーム支持体。
【請求項４】
前記突出部と前記ねじ切りされたカラーとは、直接的に接触又は連結する、請求項１又は２に記載のフレーム支持体。
【請求項５】
前記突出部と前記耐荷重部材とは、直接的又は間接的に、接触又は連結する、請求項１から４の何れか一項に記載のフレーム支持体。
【請求項６】
前記突出部はフランジを備える、請求項１から５の何れか一項に記載のフレーム支持体。
【請求項７】
前記耐荷重部材は支持面を備え、前記支持面にフレームは直接的又は間接的に取付けられる、請求項１から６の何れか一項に記載のフレーム支持体。
【請求項８】
前記耐荷重部材は、前記ベースの前記細長部材の外径より大きい内部隙間を有する穴部を備え、突出部は前記耐荷重部材の下端にあり、支持面は前記耐荷重部材の上端にある、請求項１から７の何れか一項に記載のフレーム支持体。
【請求項９】
前記細長部材上の前記ねじ切りされたカラーの高さは調整可能である、請求項１から８の何れか一項に記載のフレーム支持体。
【請求項１０】
前記ねじ切りされたカラーはナットを備える、請求項１から９の何れか一項に記載のフレーム支持体。
【請求項１１】
前記ねじ切りされたカラーは前記耐荷重部材及び／又は突出部と一体である、請求項１から１０の何れか一項に記載のフレーム支持体。
【請求項１２】
前記ねじ切りされたカラーは前記耐荷重部材及び／又は突出部と一体でない、請求項１から１０の何れか一項に記載のフレーム支持体。
【請求項１３】
前記ベースは、前記ベースを地面に固定するよう締結具を挿入可能な一つ以上の開口部をさらに備える、請求項１から１２の何れか一項に記載のフレーム支持体。
【請求項１４】
さらに締結具を備える、請求項１３に記載のフレーム支持体。
【請求項１５】
前記締結具はピン及びボルトの群から選択される、請求項１４に記載のフレーム支持体。
【請求項１６】
請求項１から１５の何れか一項に記載の、一つ以上のフレーム支持体と、前記一つ以上のフレーム支持体に支持されるフレームと、を備えるフレーム組立体。
【請求項１７】
プラットフォームの重量は、前記フレーム支持体の前記耐荷重部材により支持されている、請求項１６に記載のフレーム組立体。
【請求項１８】
前記フレームは、前記一つ以上のフレーム支持体に、溶接により又はボルト若しくは他の締結具により、固定されている、請求項１６又は１７に記載のフレーム組立体。
【請求項１９】
フレーム支持体を設置する方法であって、
（ｉ）ねじ切りされた外面を有する細長部材を備えるベースを、予め準備された穴の内部に取付けるステップと、
（ｉｉ）前記穴に前記ベースを固定するステップと、
（ｉｉｉ）突出部を備える耐荷重部材を、前記ねじ切りされたベース上にはめるステップと、
（ｉｖ）前記細長部材の前記ねじ切りされた外面に係合するよう寸法決めされているねじ切りされたカラーにより、前記耐荷重部材の高さを調整するステップと、
（ｖ）前記ベースと前記ねじ切りされたカラーと前記耐荷重部材の前記突出部とを少なくとも実質的に包むよう前記穴を埋めるステップと、
を含む方法。
【請求項２０】
前記ベースを固定するステップは、前記ベースをコンクリート又は化学化合物に埋めることを含む、請求項１９に記載の方法。
【請求項２１】
前記コンクリートは乾式工法のコンクリートを含む、請求項２０に記載の方法。
【請求項２２】
前記コンクリートは湿式工法のコンクリートを含む、請求項２０に記載の方法。
【請求項２３】
前記ベースを固定するステップは、締結具を用いて前記穴の底に前記ベースを固定することを含む、請求項１９に記載の方法。
【請求項２４】
前記締結具はピン又はボルトを備える、請求項２３に記載の方法。
【請求項２５】
前記突出部は、ワッシャ、スペーサ又は同種のものにより、前記ねじ切りされたカラーとは分離している、請求項１９に記載の方法。
【請求項２６】
前記突出部は、前記ねじ切りされたカラーに、直接的に接触するか又は連結する、請求項１９に記載の方法。
【請求項２７】
前記突出部及び前記耐荷重部材は、直接的又は間接的に接触するか又は連結する、請求項１９に記載の方法。
【請求項２８】
前記突出部はフランジを備える、請求項１９、２５、２６、２７の何れか一項に記載の方法。
【請求項２９】
前記穴はコンクリート又は化学化合物で実質的に埋められる、請求項１９に記載の方法。
【請求項３０】
前記コンクリートは乾式工法のコンクリートを含む、請求項２９に記載の方法。
【請求項３１】
前記コンクリートは湿式工法のコンクリートを含む、請求項２９に記載の方法。
【請求項３２】
フレームを前記耐荷重部材の露出部分に、直接的又は間接的に取付けるステップを含む、請求項１９から３１の何れか一項に記載の方法。
【請求項３３】
添付された説明図を参照して本願明細書で実質的に述べられたフレーム支持体。
【請求項３４】
添付された説明図を参照して本願明細書で実質的に述べられたフレーム組立体。
【請求項３５】
添付された説明図を参照して本願明細書で実質的に述べられたフレーム支持体を設置する方法。
【発明の詳細な説明】
【技術分野】
【０００１】
本願発明は、検査用プラットフォーム、プラント及び設備、プレハブ式建築並びに構造物に使用されるフレーム支持体の構成に関する。
【背景技術】
【０００２】
危険地域、例えば自動車道路の盛土及び鉄道の切土斜面（例えば橋梁検査及び保全）に近接する建設作業及び保守作業では、常設又は仮設のプラットフォームの設置が一般的に必要とされている。これらは、水平面及び防護壁を有する安全な作業領域を提供し、隣接するハザード（即ち、自動車道路又は鉄道）の危険から遠ざける。しかしながら、通常、自動車道路の盛土及び鉄道の切土斜面は不規則な表面を伴って傾斜しており、プラットフォームの架設を困難にしている。特に困難な状況が、複数の支持体が三次元で正確に整列されなければならない大規模なプラットフォームの設置において生じている。
【０００３】
現在、様々なタイプのフレーム支持体、例えば打ち込まれた柱及びくい、スクリューパイル、コンクリートに埋め込まれた支持体が使用されている。しかし、これら全ては不正確な調整により不具合が生じる傾向がある。要求により、このことは関連するコストや遅延を伴った後続の調整を必要とする結果になる場合がある。
【０００４】
打ち込まれた柱又はパイル及びスクリューパイルは、通常、専用のプラントで設置される。そのプラントは、現場に移送され、設置地点に隣接又は近接して位置付けられなければならず、適切なアクセスのために必要なコスト及び危険性を導いている。
【０００５】
コンクリートに支持体を埋め込むことは、専用のプラントの必要性を回避する。しかし、通常、精度は型枠又は支柱の使用状況に依存している。型枠又は支柱は、設置され、その後取り除かれるか所定の場所に残さなくてはならず、設置工程全体にわたって、複雑さ、コスト及び時間を追加している。
【０００６】
このような型式の支持体に関連するフレームは、通常、いくらかの調整の範囲を組み入れている。しかし、その制限は、不規則な場所、起伏した場所、又は傾斜した場所で、特に垂直の調整に関する複雑な設置において度々超過される。
【０００７】
上述したフレーム支持体の全ての型式は、耐荷重のスクリュージャッキにより補助可能で、その耐荷重のスクリュージャッキは、垂直の調整のために支持体とフレームとの間に設置される。しかしながら、通常、これらは、耐荷重に必要とされるねじ山の寸法及び関連する構成要素のためにコストの著しい増加をもたらす。さらにそれらは不正使用を起こしやすい。
【発明の概要】
【課題を解決するための手段】
【０００８】
本願発明によれば、設置は三つの主な段階で実施され、予め準備された穴（ａ  ｐｒｅｐａｒｅｄ  ｈｏｌｅ）に、軽量化されねじ切りされたベースを固定することで始まる。次いで、耐荷重部材（ａ  ｌｏａｄ−ｂｅａｒｉｎｇ  ｍｅｍｂｅｒ）がベースに取付けられ、ねじ山とねじ切りされたカラー（ｔｈｒｅａｄｅｄ  ｃｏｌｌａｒ）により調整される。そして、ねじ切りされたベースとねじ切りされたカラーと耐荷重部材の突出部とが、コンクリート又は化学化合物に実質的に包まれ、設置が完了する。
【０００９】
通常、設置は手工具により完了されてよく、関連するコスト及び危険性と共に、現場へ又は現場から重いプラントを移送させる必要性を避ける。
【００１０】
ねじ切りされたベースは（設置時における耐荷重部材及びねじ切りされたカラーの重量を除いて）荷重に耐えるものではないので、ベースは従来のスクリュージャッキより小さくてよい。そのため、このことは、耐荷重性のスクリュージャッキと同様の利益を供給しつつコストの著しい増加を避ける。さらに、設置が完了したときに、ベースはコンクリート又は化学化合物に実質的に包まれるので、不正変更の危険性を避ける。
【００１１】
本願発明の利点は、アクセスが制限される、不規則な場所、起伏した場所又は傾斜した場所で複数の支持体を正確に調整する必要がある場合に、最も大きくなると見られる。重い又は専用のプラント、型枠、支柱又は耐荷重のスクリュージャッキを要求されることがなく、その結果として、設置は、関連する複雑性、危険性、時間及びコストなしで、完了されうる。
【００１２】
本願発明は、専用装置を必要とすることなく三次元において正確な位置決めを可能にする、フレーム支持体とそれらを設置する方法とを提供する。
【００１３】
本願発明の第一の態様は、
（ｉ）ねじ切りされた外面を有する細長部材備えるベースと、
（ｉｉ）前記細長部材の前記ねじ切りされた外面と結合するよう寸法決めされたねじ切りされたカラーと、
（ｉｉｉ）前記ねじ切りされたカラーに取付け可能な耐荷重部材と、
を備えるフレーム支持体を提供する。
【００１４】
耐荷重部材は、ねじ切りされたカラーに取付け可能な突出部を備えてよい。突出部は、ねじ切りされたカラーに、直接的又は間接的に接触又は連結してよい。同様に、突出部は、前記耐荷重部材に直接的又は間接的に接触又は連結してよい。例えば、ワッシャ、スペーサ又は同種のものにより、突出部は、ねじ切りされたカラーから分離されてよく、及び／又は、突出部は耐荷重性部材から分離されてよい。一実施形態では、突出部はフランジを備える。耐荷重部材は支持面を備えてよく、フレームは支持面に直接的又は間接的に取付けられてよい。
【００１５】
耐荷重部材は、ベースの細長部材の外径より大きい内部隙間を有する中空部材と、その下端にある突出部と、その上端にある支持面と、を備えてよい。中空部材は、例えば正方形、長方形又は円形の断面を有してよい。
【００１６】
細長部材上で、ねじ切りされたカラーの高さは調整可能であってよい。耐荷重部材はねじ切りされたカラーに係合してよく、それにより、ベースの細長部材回りのねじ切りされたカラーの回転が、耐荷重部材の高さを調整する手段を提供する。
【００１７】
耐荷重部材及びねじ切りされたカラーに係合する構造が提供されてよく、それにより、耐荷重部材がねじ切りされたカラーの回転をもたらすようになる。耐荷重部材の係合構造はボルトを備えてよい。
【００１８】
ねじ切りされたカラーはナットを備えてよい。ねじ切りされたカラーは、耐荷重性部材及び／又は突出部と一体であってよい。あるいは、ねじ切りされたカラーは、前記耐荷重性部材及び／又は突出部と分離されてもよい。あるいは、突出部及びねじ切りされたカラーは、例えば溶接により接合されてよい。
【００１９】
ベースは、さらに、締結具がベースを地面に固定するために挿入される一つ以上の開口部を備えてよい。フレーム支持体は、さらに、締結具、例えばピン又はボルトを備えてよい。
【００２０】
本願発明の好ましい態様によれば、
（ｉ）ねじ切りされた外面を有する細長部材を備えるベースと、
（ｉｉ）細長部材の前記ねじ切りされた外面に係合するよう寸法決めされているねじ切りされたカラーと、
（ｉｉｉ）ねじ切りされたカラーに取付け可能な耐荷重部材であって、前記耐荷重部材は突出部を備える、耐荷重部材と、を備えるフレーム支持体であって、
耐荷重部材がねじ切りされたカラーと係合し、それにより、耐荷重部材の回転が、耐荷重部材の高さを調整する手段を提供する、ベースの細長部材回りでのねじ切りされたカラーの回転をもたらし、使用中、ベースとねじ切りされたカラーと耐荷重部材の突出部とが実質的に包まれている、フレーム支持体が提供される。
【００２１】
その組み立てられた形態において、フレーム支持体の構成要素の一部分は相互に連結することが実施可能であり、構成要素のいずれか一つ又は全てが直接的に接触する必要がないことを意味することが、理解されるべきである。例えば、耐荷重部材は支持面を備えてよく、フレームはその支持面に直接的又は間接的に取付けられてよい。同様に、突出部は、例えばワッシャ、スペーサ又は同種のものにより、ねじ切りされたカラーから分離されてよい。同様に、突出部は、例えばワッシャ、スペーサ又は同種のものにより、耐荷重部材から分離されてよい。
【００２２】
本願発明の第二の態様は、請求項１から１５の何れか一項による、一つ以上のフレーム支持体と、一つ以上のフレーム支持体に支持されたフレームとを備えるフレーム組立体を提供する。単一のフレーム支持体は、小型のフレームを支持するのに充分である場合があるが、一方、少なくとも三つ、四つ又はそれ以上の支持体が、大型のフレームに必要とされる場合がある。
【００２３】
フレームの重量は、ベースよりはむしろ耐荷重部材を通じて受け止められる。
【００２４】
フレームは、一つ以上のフレーム支持体に、溶接により又はボルト若しくは他の締結具により固定されてよい。
【００２５】
本願発明の第三の態様は、
（ｉ）ねじ切りされた外面を有する細長部材を備えるベースを、予め準備された穴に取付けるステップと、
（ｉｉ）ベースを穴に固定するステップと、
（ｉｉｉ）耐荷重部材を、ねじ切りされたベース上にはめるステップと、
（ｉｖ）細長部材のねじ切りされた外面に係合するよう寸法決めされているねじ切りされたカラーにより、耐荷重部材の高さを調整するステップと、
（ｖ）ベースとねじ切りされたカラーと耐荷重部材の底部とを少なくとも実質的に包むように穴を埋めるステップと、を有するフレーム支持体を設置する方法を提供する。
【００２６】
この方法は、三次元においてフレーム支持体が容易に調整されることを可能にする。ベースは、穴の内部で水平に正確に位置決めされてよい。ベースが固定されたとき、ねじ切りされたカラーの調整は垂直の調整を可能にする。
【００２７】
耐荷重部材の底部は、突出部、例えばフランジを備えてよい。突出部は、ねじ切りされたカラーに、直接的又は間接的に接触又は連結してよい。同様に、突出部は、耐荷重部材に直接的又は間接的に接触又は連結してよい。例えば、ワッシャ、スペーサ又は同種のものにより、突出部はねじ切りされたカラーから分離されてよく、及び／又は、突出部は、耐荷重部材から分離されてよい。突出部を実質的に包むことは、突出部がアンカーの機能を果たすことを可能にする。そのため、一度包み込まれた場合、突出部は支持体に取付けられたフレームの荷重を支持する。
【００２８】
ベースを固定するステップは、コンクリート又は化学化合物にベースを部分的に埋めることを含んでよい。コンクリートは乾式工法（ｄｒｙ−ｍｉｘｅｄ）のコンクリート又は湿式工法（ｗｅｔ−ｍｉｘｅｄ）のコンクリートを含んでよい。乾式工法のコンクリートは、利便性及び速度の利点を提供する。化学化合物は、所定位置においてベースを支持するよう充分に固まることが好ましくは可能である。あるいは、ベースを固定するステップは、締結具、例えばピン又はボルトを用いて穴の底部にベースを固定することを含む。
【００２９】
ベースとねじ切りされたカラーと耐荷重部材の底部とを少なくとも実質的に包むよう穴を埋めるステップは、穴をコンクリート又は化学化合物で実質的に埋めることを含んでよい。コンクリートは、乾式工法のコンクリート又は湿式工法のコンクリートを含んでよい。化学化合物は、一度化学化合物が全強度に達した場合に、所定位置に耐荷重部材を支持することが好ましくは可能である。
【００３０】
その方法は、耐荷重部材の露出した部分に、フレームを直接的又は間接的に取付けるステップを備えてよい。
【００３１】
フレーム支持体及びそれを設置する方法は、不規則な地面、傾斜した地面又は起伏した地面上のプラットフォーム、例えば、高速道路や鉄道に隣接する検査用プラットフォームや水試料採取用の貯水池に隣接するプラットフォームを支持するのに特に適している。さらに、その装置及び方法は、プラント及び設備、プレファブ建築及び構造物を支持するのに適している。
【００３２】
本願発明の好ましい態様によれば、
（ｉ）ねじ切りされた外面を有する細長部材を備えるベースを、予め準備された穴の内部に取付けるステップと、
（ｉｉ）穴にベースを固定するステップと、
（ｉｉｉ）突出部を備える耐荷重部材を、ねじ切りされたベース上にはめるステップと、
（ｉｖ）細長部材のねじ切りされた外面に係合するよう寸法決めされているねじ切りされたカラーにより、耐荷重部材の高さを調整するステップと、
（ｖ）ベースとねじ切りされたカラーと耐荷重部材の突出部とを少なくとも実質的に包むよう穴を埋めるステップと、
を含む、フレーム支持体を設置する方法が提供される。
【００３３】
本願発明の第二の態様及び第三の態様の好ましい構造は、上述したように第一の態様に関連してよい。
【００３４】
この明細書の記述及び特許請求の範囲を通じて、「ｃｏｍｐｒｉｓｅ」及び「ｃｏｎｔａｉｎ」という言葉は及びその言葉のバリエーション、例えば「ｃｏｍｐｒｉｓｉｎｇ」及び「ｃｏｍｐｒｉｓｅｓ」は、「ｉｎｃｌｕｄｉｎｇ  ｂｕｔ  ｎｏｔ  ｌｉｍｉｔｅｄ  ｔｏ」の意味であり、他の部分、付加、構成、整数又はステップを除外しない。
【００３５】
本明細書の記述及び特許請求の範囲を通じて、単数は、文脈上他に要求されない限り、複数を包含する。特に、不定冠詞が使用された場合、文脈上他に要求されない限り、明細書は、単数であることと同様に複数であることも考慮されるものとして理解されるべきである。
【００３６】
本願発明の他の構成は以下の実施例により明らかになるであろう。一般的に、本願発明は、本願明細書で開示された構成（添付された如何なる特許請求の範囲及び図面を含む）による、如何なる新規なもの又は如何なる新規の組み合わせにも及ぶ。従って、本願発明の特定の態様、実施形態又は実施例に関連して述べられた構成、整数、特徴又は混合物は、相いれない限り本願明細書で述べられた如何なる他の態様、実施形態又は実施例に応用できると理解されるべきである。
【００３７】
さらに、特に明記しない限り、本明細書で開示された如何なる構成は、同じ又は類似した目的に合う代わりの構成により置き換えてよい。
【００３８】
本願発明は、単なる例示目的として、添付した図面を参照して示される。
【図面の簡単な説明】
【００３９】
【図１】本願発明による組み立てられたフレーム支持体の断面図である。
【図２】フレーム支持体の設置方法を示す図である。
【発明を実施するための形態】
【００４０】
図１は、ねじ切りされた外面１を有する細長部材を備えるベースと、ねじ切りされたカラー２と、フランジ４を実装する耐荷重部材３とからなる組み立てられたフレーム支持体を示す。フランジ４に取付けられたボルト５はねじ切りされたカラー２に係合し、それが回転されたときに耐荷重部材３の高さを調整する手段を提供する。ボルト５がねじ切りされたカラーの特徴部に係合しているので、耐荷重部材の回転は、ねじ切りされたカラーの回転をもたらす。あるいは、耐荷重部材及びねじ切りされたカラーの複数の特徴部の係合が使用されてよく、又は、耐荷重部材とねじ切りされたカラーが、例えば溶接により接合されてよい。
【００４１】
フレーム支持体は、二つの段階、段階７とそれに続く段階８（図２参照）で乾式工法のコンクリートで埋められる、予め準備された穴６に配置される。続いてフレーム支持体の組立体はフレーム９に取付けられる。
【００４２】
図２は、ＡからＧの順序で示された以下のステップからなる、一対のフレーム支持体を設置する方法を示す。
Ａ：  所要の位置にフレーム支持体のための穴６を準備する。
Ｂ：  それぞれの穴の底にコンクリート７の層を配置する。
Ｃ：  ベースがコンクリートに埋められている状態で、それぞれの穴の底においてベース１とねじ切りされたカラー２の位置決めを行う。
Ｄ：  コンクリートが部分的に養生されて移動を妨げる充分な強度が得られたときに、耐荷重部材３を各ベースに合わせる。
Ｅ：  ベース上のねじ切りされたカラーの回転により耐荷重部材の高さを調整する。耐荷重部材を回転させ、それにより、ねじ切りされたカラーがフランジ４に取付けられたボルト５に係合するようになる。
Ｆ：  ベースとねじ切りされたカラーと各耐荷重部材のフランジとをコンクリート８で実質的に包む。
Ｇ：  コンクリートが部分的に養生されて移動を妨げる充分な強度が得られたときに、フレーム９を各耐荷重部材に取付ける。
【図１】
2014517170.tif 000003
【図２Ａ】
2014517170.tif 000004
【図２Ｂ】
2014517170.tif 000005
【図２Ｃ】
2014517170.tif 000006
【図２Ｄ】
2014517170.tif 000007
【図２Ｅ】
2014517170.tif 000008
【図２Ｆ】
2014517170.tif 000009
【図２Ｇ】
2014517170.tif 000010
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
コンクリート又は化学化合物に埋めるためのフレーム支持体であって、
（ｉ）ねじ切りされた外面を有する細長部材を備えるベースと、
（ｉｉ）前記細長部材のねじ切りされた外面に係合するよう寸法決めされているねじ切りされたカラーと、
（ｉｉｉ）前記ねじ切りされたカラーに取付け可能な耐荷重部材であって、前記耐荷重部材は一度包まれるとアンカーとして機能する水平な突出部を備える、耐荷重部材と、を備え、
前記耐荷重部材及び前記ねじ切りされたカラーの複数の特徴部の係合が提供され、それにより、前記耐荷重部材の回転が、前記耐荷重部材の高さを調整する手段を提供する、前記ベースの細長部材回りの前記ねじ切りされたカラーの回転をもたらす、フレーム支持体。
【請求項２】
前記突出部は前記ねじ切りされたカラーに取付け可能である、請求項１に記載のフレーム支持体。
【請求項３】
前記突出部は、ワッシャ、スペーサ又は同種のものにより、前記ねじ切りされたカラーとは分離している、請求項１又は２に記載のフレーム支持体。
【請求項４】
前記突出部と前記ねじ切りされたカラーとは、直接的に接触又は連結する、請求項１又は２に記載のフレーム支持体。
【請求項５】
前記突出部と前記耐荷重部材とは、直接的又は間接的に、接触又は連結する、請求項１から４の何れか一項に記載のフレーム支持体。
【請求項６】
前記突出部はフランジを備える、請求項１から５の何れか一項に記載のフレーム支持体。
【請求項７】
前記耐荷重部材は支持面を備え、前記支持面にフレームは直接的又は間接的に取付けられる、請求項１から６の何れか一項に記載のフレーム支持体。
【請求項８】
前記耐荷重部材は、前記ベースの前記細長部材の外径より大きい内部隙間を有する穴部を備え、突出部は前記耐荷重部材の下端にあり、支持面は前記耐荷重部材の上端にある、請求項１から７の何れか一項に記載のフレーム支持体。
【請求項９】
前記細長部材上の前記ねじ切りされたカラーの高さは調整可能である、請求項１から８の何れか一項に記載のフレーム支持体。
【請求項１０】
前記ねじ切りされたカラーはナットを備える、請求項１から９の何れか一項に記載のフレーム支持体。
【請求項１１】
前記ねじ切りされたカラーは前記耐荷重部材及び／又は突出部と一体である、請求項１から１０の何れか一項に記載のフレーム支持体。
【請求項１２】
前記ねじ切りされたカラーは前記耐荷重部材及び／又は突出部と一体でない、請求項１から１０の何れか一項に記載のフレーム支持体。
【請求項１３】
前記ベースは、前記ベースを地面に固定するよう締結具を挿入可能な一つ以上の開口部をさらに備える、請求項１から１２の何れか一項に記載のフレーム支持体。
【請求項１４】
さらに締結具を備える、請求項１３に記載のフレーム支持体。
【請求項１５】
前記締結具はピン及びボルトの群から選択される、請求項１４に記載のフレーム支持体。
【請求項１６】
請求項１から１５の何れか一項に記載の、一つ以上のフレーム支持体と、前記一つ以上のフレーム支持体に支持されるフレームと、を備えるフレーム組立体。
【請求項１７】
プラットフォームの重量は、前記フレーム支持体の前記耐荷重部材により支持されている、請求項１６に記載のフレーム組立体。
【請求項１８】
前記フレームは、前記一つ以上のフレーム支持体に、溶接により又はボルト若しくは他の締結具により、固定されている、請求項１６又は１７に記載のフレーム組立体。
【請求項１９】
フレーム支持体を設置する方法であって、
（ｉ）ねじ切りされた外面を有する細長部材を備えるベースを、予め準備された穴の内部に取付けるステップと、
（ｉｉ）前記穴に前記ベースを固定するステップと、
（ｉｉｉ）一度包まれるとアンカーとして機能する水平な突出部を備える耐荷重部材を、前記ねじ切りされたベース上にはめるステップと、
（ｉｖ）前記細長部材の前記ねじ切りされた外面に係合するよう寸法決めされているねじ切りされたカラーにより、前記耐荷重部材の高さを調整するステップと、
（ｖ）前記ベースと前記ねじ切りされたカラーと前記耐荷重部材の前記突出部とを少なくとも実質的に包むよう前記穴を埋めるステップと、
を含む方法。
【請求項２０】
前記ベースを固定するステップは、前記ベースをコンクリート又は化学化合物に埋めることを含む、請求項１９に記載の方法。
【請求項２１】
前記コンクリートは乾式工法のコンクリートを含む、請求項２０に記載の方法。
【請求項２２】
前記コンクリートは湿式工法のコンクリートを含む、請求項２０に記載の方法。
【請求項２３】
前記ベースを固定するステップは、締結具を用いて前記穴の底に前記ベースを固定することを含む、請求項１９に記載の方法。
【請求項２４】
前記締結具はピン又はボルトを備える、請求項２３に記載の方法。
【請求項２５】
前記突出部は、ワッシャ、スペーサ又は同種のものにより、前記ねじ切りされたカラーとは分離している、請求項１９に記載の方法。
【請求項２６】
前記突出部は、前記ねじ切りされたカラーに、直接的に接触するか又は連結する、請求項１９に記載の方法。
【請求項２７】
前記突出部及び前記耐荷重部材は、直接的又は間接的に接触するか又は連結する、請求項１９に記載の方法。
【請求項２８】
前記突出部はフランジを備える、請求項１９、２５、２６、２７の何れか一項に記載の方法。
【請求項２９】
前記穴はコンクリート又は化学化合物で実質的に埋められる、請求項１９に記載の方法。
【請求項３０】
前記コンクリートは乾式工法のコンクリートを含む、請求項２９に記載の方法。
【請求項３１】
前記コンクリートは湿式工法のコンクリートを含む、請求項２９に記載の方法。
【請求項３２】
フレームを前記耐荷重部材の露出部分に、直接的又は間接的に取付けるステップを含む、請求項１９から３１の何れか一項に記載の方法。
【国際調査報告】
2014517170.tif 000011
2014517170.tif 000012
2014517170.tif 000013
2014517170.tif 000014